(57)【要約】      （修正有）【課題】見る側に印象付けやアピール性が強い広告がおこなえる宣伝車を提供する。【解決手段】車内に映写機器１と電子情報処理機器２からなる映写装置と、透光性スクリーン４を設け、映写機器を透光性スクリーンに向けて投射すると、映像はスクリーンを透けて車外から見ることができる。映写に必要な電源は、バッテリー７から取れるので、広報宣伝車として巡回しながら動画映像を提供できる。また、デジタルデータを使って状況に応じた幅広い利用方法が可能になる。【選択図】図１
2006023603.tif 000002
【特許請求の範囲】
【請求項１】
自動車の車内に映写機器と、電子情報処理機器からなる映写装置と、自動車の窓際に透光性のスクリーンを設けてなる映写設備を設置し、自動車のバッテリーを電源として、映写機器により透光性のスクリーンに映写し、車外に映像を透過する映写設備付き自動車。
【請求項２】
映写機器と透光性のスクリーンの間に反射鏡を設けた、請求項1の映写設備付き自動車。
【発明の詳細な説明】
【技術分野】
【０００１】
本発明は、映写設備付き自動車に関するものである。
【背景技術】
【０００２】
従来の宣伝や広報活動に用いられている車（売り出しやイベントなどの営業に関する巡回宣伝活動や、選挙関連、交通安全、防犯、火災などに関する巡回広報活動）は、車体に活動内容を表す文字や、絵柄を描いた静止画面（看板・ポスター・カッティングシート・など）や音声だけのもの、これらを組合せたもであった。
巡回中に音声情報は、簡単に適宜取り替える事ができるが、文字や絵柄情報は、簡単に取り替えられないので、期間中に取り替えることは稀であった。
【特許文献１】特開２０００−１９８３８２号公報
【特許文献２】特開平９−１６１１１号公報
【発明の開示】
【発明が解決しようとする課題】
【０００３】
従来の宣伝車などは静止画像（看板・ポスター・カッティングシート・アートなど）で、何十年も変わらない方法であり、動画に比べると、表現方法の幅が狭いため、見る側に印象付けやアピール性が乏しく効果的に印象付けができません。また、情報媒体も多様化しているため、よりアピール力のある装置や方法が求められている。
巡回中に音声情報は、簡単に適宜取り替える事ができるが、文字や絵柄情報は、簡単に取り替えられないので、期間中に取り替える事は稀であった。
【課題を解決するための手段】
【０００４】
上記の問題点を解決し、目的を達成するために講じた本発明の構成は次の通りである。車内に映写機器（プロジェクターなど）と、電子情報処理機器（パソコンなど）からなる映写装置を設置し、窓際に透光性スクリーン（光が物質を通過する性質。試験的にはポリエチレンテレフタレート板や、ポリプロピレンシートなどでも良い）を設ける。
画像や音声のデジタルデータ情報（ＣＤ、ＤＶＤなど）を、電子情報処理機器を通して、映写機から透光性スクリーンに投射する。前記スクリーンは、光を透過するので、スクリーンの表面（車外）から映像を見ることができる（プリモ社パンフレット参照。「プロジェクタより裏面から投射し、表面に映像を映し出す」とある）。映写に必要な電源は、自動車のバッテリーから取る。
【発明の効果】
【０００５】
車内に映写装置と、透光性スクリーンを設け、前記スクリーンに投射する事により、動画を組合せた情報を車外に向けて、移動して発信すると言う新しい広報宣伝活動方法が確立された。自動車が動画映像を使い表現方法の幅を広げることにより、理解しやすい情報を発信することができる。また、自動車の窓に動画が映る事は珍しいことなので人々に強く印象つけることができる。  
【０００６】
デジタルデータの情報は、記憶媒体（ＣＤ・ＤＶＤなど）を使って簡単に取出したりパソコンでの編集が容易なので、情報データを編集・修正・変更をしながら、状況に応じた情報を提供することができる。（宣伝以外に会場への道案内や、会場での連絡事項・速報の掲示・迷子のお知らせなど容易に対処でき、状況に応じた幅広い利用方法がある。）またインターネットで車に設置されたパソコンに情報データを送り、瞬時に車から新しい情報を流すことができる。これにより、より的確な情報をリアルタイムで容易に流すことが可能になる。
【０００７】
電源は車のバッテリを使用しているので、電源を探す必要がなく、どの場所でも映写することができる。
【発明を実施するための最良の形態】
【０００８】
本発明は、自動車１５に映写機器（プロジェクタなど）１と電子情報処理機器（パソコン、ＤＶＤデッキ、など）２からなる映写装置と、透光性スクリーン４を設置し、電源は自動車１５のバッテリ７を使ったものである。映写装置にはプロジェクターやパソコンなどを使う。この映写装置付き自動車は、窓際３．１１に設けた透光性スクリーン４を透過した映像を、車外の観客１０に見て貰うもので、巡回して動画の情報を提供する。前記スクリーン４に高輝度や高拡散リヤタイプスクリーンを用いている。
車のバッテリーで、プロジェクタやパソコンを使う為、ＤＣ−ＡＣインバータ８を用いて、直流を交流に変換する。
【実施例１】
【０００９】
本発明を図１と図２により説明する。図１は車内の平面図で、図２は車内の側面図である。座席５の後に映写台６を置き、映写機器（プロジェクタなど）１と電子情報処理機器（パソコン、ＤＶＤデッキ、など）２からなる映写装置を設置する。配線は自動車１５のバッテリー７と、ＤＣ−ＡＣインバータ８を接続し、映写機器（プロジェクタなど）１と電子情報処理機器（パソコン、ＤＶＤデッキ、など）２を並列で前記インバータ８に接続する。映写機器（プロジェクタなど）１と電子情報処理機器（パソコン、ＤＶＤデッキ、など）２を通信ケーブル１４でコネクタに接続する。後部の窓際３に透光性スクリーン４を設置する。前記スクリーン４は、窓ガラスに直接貼りつけても良いし、窓枠に着脱自在（例、透明パネルに貼りつける）に取付けても良い。車種や映写機器（プロジェクタなど）１の機種機能、窓枠の透光性スクリーン４の大きさによってピントが違ってくる為、映写機器（プロジェクタなど）１の設置場所は個々に定める。座席内５に映写機器（プロジェクタなど）１を設置することがある。投影９された映像は、前記スクリーン４を透過して車外に放出される。観客１０は自動車１５から映し出した映像は左右逆に見える為、映写機器（プロジェクタなど）１の反転機能で反転します。
【実施例２】
【００１０】
図３は、左側窓際１１に透光性スクリーン４を設けたものである。
【実施例３】
【００１１】
図４と図５は、映写機器（プロジェクタなど）１と透光性スクリーン４の間に反射鏡１２を設置し、映写機器（プロジェクタなど）１を反射鏡１２に向けて投射９し、反射を利用して後の窓際３や左または右の窓際１１に設けた前記スクリーン４に映像を写すものである。
反射を利用したので、映写機器（プロジェクタなど）１と前記スクリーン４の距離が短縮され、装置をコンパクトにできる利点がある。また、反射鏡１２で映像が反転されているので、映写機器（プロジェクタなど）１で反転しなくても良い。
図４は、反射鏡１２を使って後ろの窓際３に設置した透光性スクリーン４に映すものを示す。図５は、同じく左側窓１１に設置した透光性スクリーン４に映すものを示す。
【図面の簡単な説明】
【００１２】
【図１】後側窓際に、透光性スクリーンを設けた実施例１の車内の平面図である。
【図２】後側窓際に、透光性スクリーンを設けた実施例１の車内の側面図である。
【図３】左側窓際に、透光性スクリーンを設けた実施例２を示した車内の平面図である。
【図４】反射鏡を使って、後の透光性スクリーンに映した実施例３を示した平面図である。
【図５】反射鏡を使って、左側の透光性スクリーンに映した実施例３を示した平面図である。
【符号の説明】
【００１３】
１：映写機器（プロジェクタ）
２：電子情報再生機器（パソコンなど）
３：後窓際
４：透光性スクリーン
５：座席
６：映写台
７：充電器（バッテリー）
８：ＤＣ−ＡＣインバータ
９：投影光線
１０：観客
１１：左窓際
１２：反射鏡  
１３：電気配線
１４：通信ケーブル
１５：自動車
【図１】
2006023603.tif 000003
【図２】
2006023603.tif 000004
【図３】
2006023603.tif 000005
【図４】
2006023603.tif 000006
【図５】
2006023603.tif 000007